(57)【特許請求の範囲】
【請求項１】
複数種類の図柄を変動表示する図柄変動表示装置と、
前記図柄変動表示装置による図柄の変動表示を停止させ図柄を停止表示させる複数のストップスイッチと、
入賞か否かの内部抽選を行う内部抽選手段とを備え、
前記内部抽選手段による抽選結果が特別入賞であるとともに、前記図柄変動表示装置に停止表示された停止図柄の組み合わせが、予め定められた所定の特別入賞図柄と一致したことを条件に、遊技者に特別の遊技を行わせるようにしたスロットマシンにおいて、
前記内部抽選手段とは別に設けられ、所定の範囲の乱数を発生させる乱数発生手段と、
前記乱数発生手段がとる乱数値の全領域中、前記複数のストップスイッチの操作順に出力される音声が予め定められた停止受付音パターンごとに区分された複数の停止受付音パターン領域を有する停止受付音決定テーブルと、
前記乱数発生手段が発生する乱数を抽出する乱数抽出手段と、
前記乱数抽出手段が抽出した乱数値を前記停止受付音決定テーブルと照合し、該乱数値が属する停止受付音パターン領域に対応する停止受付音パターンを決定する受付音決定手段と、
前記各ストップスイッチが操作されたことを条件に、前記受付音決定手段によって決定された停止受付音パターンに基づいて、いずれのストップスイッチが操作されても、操作されたストップスイッチの順番に従って外部出力手段に音声を出力させる停止受付音出力制御手段とを備えたことを特徴とするスロットマシン。
【請求項２】
複数種類の図柄を変動表示する図柄変動表示装置と、
前記図柄変動表示装置による図柄の変動表示を停止させ図柄を停止表示させる複数のストップスイッチと、
入賞か否かの内部抽選を行う内部抽選手段とを備え、
前記内部抽選手段による抽選結果が特別入賞であるとともに、前記図柄変動表示装置に停止表示された停止図柄の組み合わせが、予め定められた所定の特別入賞図柄と一致したことを条件に、遊技者に特別の遊技を行わせるようにしたスロットマシンにおいて、
前記内部抽選手段とは別に設けられ、所定の範囲の乱数を発生させる乱数発生手段と、
前記乱数発生手段がとる乱数値の全領域中、前記複数のストップスイッチの操作順に出力される音声が予め定められた停止受付音パターンごとに区分された複数の停止受付音パターン領域を有するとともに、各停止受付音パターン領域の割合を各々異にする複数の停止受付音決定テーブルと、
前記複数の停止受付音決定テーブルのうち、前記内部抽選手段の抽選結果に対応する停止受付音決定テーブルを選択する停止受付音決定テーブル選択手段と、
前記乱数発生手段が発生する乱数を抽出する乱数抽出手段と、
前記乱数抽出手段が抽出した乱数値を、前記停止受付音決定テーブル選択手段が選択した停止受付音決定テーブルと照合し、該乱数値が属する停止受付音パターン領域に対応する停止受付音パターンを決定する受付音決定手段と、
前記各ストップスイッチが操作されたことを条件に、前記受付音決定手段によって決定された停止受付音パターンに基づいて、いずれのストップスイッチが操作されても、操作されたストップスイッチの順番に従って外部出力手段に音声を出力させる停止受付音出力制御手段とを備えたことを特徴とするスロットマシン。
【発明の詳細な説明】
【０００１】
【発明の属する技術分野】
この発明は、内部抽選手段の抽選結果に対応して、ストップスイッチの停止受付音を変化させることのできるスロットマシンのに関するものである。
【０００２】
【従来の技術】
従来、この種のスロットマシンとしては、複数種類の図柄を変動表示する図柄変動表示装置と、前記図柄変動表示装置による図柄の変動表示を開始させるスタートスイッチと、前記図柄変動表示装置による図柄の変動表示を停止させ図柄を停止表示させるストップスイッチと、前記スタートスイッチの操作を条件に、入賞か否かの内部抽選を行う内部抽選手段と、前記内部抽選手段による抽選結果が特別入賞であるとともに、前記図柄変動表示装置に停止表示された停止図柄の組み合わせが、予め定められた所定の特別入賞図柄と一致したことを条件に、遊技者に特別の遊技を行わせるようにしたスロットマシンが知られていた。
【０００３】
そして、この従来のスロットマシンでは、ストップスイッチの操作時に、ストップスイッチを受け付けたことを報知するために出力される停止受付音は、内部抽選手段による内部抽選の結果に関わらず、いつも同じ音が出力されていた。
【０００４】
【発明が解決しようとする課題】
しかし、上記した従来のスロットマシンでは、停止受付音は、単に、ストップスイッチが有効に操作されたことを音声で表示するものであって、音声が出力されても何ら面白みがないといった問題点があった。
また、内部抽選手段による内部抽選の結果に関わらず、いつも同じ音が出力されていたことから、遊技者はストップスイッチを操作することで、内部抽選の内容を知ることができないといった問題点があった。
【０００５】
そこで、請求項１及び２記載のスロットマシンは、上記した従来の技術の有する問題点に鑑みてなされたものであり、その目的とするところは、単調になりがちなストップスイッチの停止受付音を、内部抽選の結果に対応させて、変化させることで、興趣ある遊技が可能なスロットマシンを提供しようとするものである。
【０００６】
【課題を解決するための手段】
（特徴点）
本発明は、上記した目的を達成するためのものであり、以下にその内容を図面に示した発明の実施の形態の一例を用いて説明する。
（請求項１）
請求項１記載のスロットマシンは、内部抽選手段(110)とは別に設けられ、所定の範囲の乱数を発生させる停止受付音決定用の乱数発生手段(140)と、前記乱数発生手段(140)がとる乱数値の全領域中、前記複数のストップスイッチ(40)の操作順に出力される音声が予め定められた停止受付音パターンごとに区分された複数の停止受付音パターン領域を有する停止受付音決定テーブル(141)と、前記乱数発生手段(140)が発生する乱数を抽出する停止受付音決定用の乱数抽出手段(143)と、前記乱数抽出手段(143)が抽出した乱数値を停止音決定テーブル(141)と照合し、該乱数値が属する停止受付音パターン領域に対応する停止受付音パターンを決定する受付音決定手段(144)と、前記各ストップスイッチ(40)が操作されたことを条件に、前記受付音決定手段(144)によって決定された停止受付音パターンに基づいて、いずれのストップスイッチ(40)が操作されても、操作されたストップスイッチ(40)の順番に従って外部出力手段(例えばスピーカ60)に音声を出力させる停止受付音出力制御手段(145)とを備えた、ことを特徴とする。
【０００７】
したがって、請求項１記載のスロットマシンによれば、前記内部抽選手段(110)とは別に設けられた、停止受付音決定用の乱数発生手段(140)は、所定範囲までの乱数を発生させる。
停止受付音決定用の乱数抽出手段は、前記乱数発生手段(140)から発生している乱数のうち、特定の乱数値を抽出する。
停止受付音決定テーブル(141)は、前記複数のストップスイッチ(40)の操作順に出力される音声が予め定められた停止受付音パターンごとに区分された複数の停止受付音パターン領域を有する。
受付音決定手段(144)は、前記乱数抽出手段(143)が抽出した乱数値を、停止受付音決定テーブル(141)と照合することにより、当該乱数値がいずれの停止受付音パターン領域に属するのかを判定し、当該乱数値が属する領域に対応する停止受付音パターンを決定する。
【０００８】
停止受付音出力制御手段(145)は、前記受付音決定手段(144)によって決定された停止受付音パターンに基づいて、操作されたストップスイッチ(40)の順番に従って音声を外部出力手段(60)に出力させる。
このため、ストップスイッチ(40)を操作すると、出力される停止受付音がランダムに決定されとともに、決定された停止受付音パターンから、いずれのストップスイッチ(40)が操作されても、操作されたストップスイッチ(40)の順番に従って、停止受付音が出力されるから、遊技を単調化させることがない。
（請求項２）
請求項２記載のスロットマシンは、内部抽選手段(110)とは別に設けられ、所定の範囲の乱数を発生させる乱数発生手段(140)と、前記乱数発生手段(140)がとる乱数値の全領域中、前記複数のストップスイッチ(40)の操作順に出力される音声が予め定められた停止受付音パターンごとに区分された複数の停止受付音パターン領域を有するとともに、各停止受付音パターン領域の割合を各々異にする複数の停止受付音決定テーブル(141)と、前記複数の停止受付音決定テーブル(141)のうち、前記内部抽選手段(110)の抽選結果に対応する停止受付音決定テーブル(141)を選択する停止受付音決定テーブル選択手段(142)と、前記乱数発生手段(140)が発生する乱数を抽出する乱数抽出手段(143)と、前記乱数抽出手段(143)が抽出した乱数値を、前記停止受付音決定テーブル選択手段(142)が選択した停止音決定テーブル(141)と照合し、該乱数値が属する停止受付音パターン領域に対応する停止受付音パターンを決定する受付音決定手段(144)と、前記各ストップスイッチ(40)が操作されたことを条件に、前記受付音決定手段(144)によって決定された停止受付音パターンに基づいて、いずれのストップスイッチ(40)が操作されても、操作されたストップスイッチ(40)の順番に従って外部出力手段(60)に音声を出力させる停止受付音出力制御手段(145)とを備えたことを特徴とする。
【０００９】
したがって、請求項２記載のスロットマシンによれば、停止受付音決定テーブル選択手段(142)は、複数の停止受付音決定テーブル(141)のうち、内部抽選手段(110)による内部抽選の結果に対応した停止受付音決定テーブル(141)を選択する。
一方、内部抽選手段(110)とは別に設けられた乱数発生手段(140)は、所定範囲までの乱数を発生させる。
【００１０】
乱数抽出手段(143)は、前記乱数発生手段(140)から発生している乱数のうち、特定の乱数値を抽出する。
停止受付音決定テーブル(141)は、前記複数のストップスイッチ(40)の操作順に出力される音声が予め定められた停止受付音パターンごとに区分された複数の停止受付音パターン領域を有する。
受付音決定手段(144)は、前記乱数抽出手段(143)が抽出した乱数値を、前記停止受付音決定テーブル選択手段(142)が選択した停止受付音決定テーブル(141)と照合し、該乱数値が属する停止受付音パターン領域に対応する停止受付音パターンを決定する
停止受付音出力制御手段(145)は、前記受付音決定手段(144)によって決定された停止受付音パターンに基づいて、いずれのストップスイッチ(40)が操作されても、操作されたストップスイッチ(40)の順番に従って音声を外部出力手段(60)に出力させる。
【００１１】
したがって、ストップスイッチ(40)を操作すると、出力される停止受付音がランダムに決定されとともに、決定された停止受付音パターンから、操作されたストップスイッチ(40)の順番に従って、停止受付音が出力されるから、遊技を単調化させることがない。
また、出力される停止受付音パターンの出現率は、選択された停止受付音決定テーブル(141)に割り付けられた領域の割合に依存し、停止受付音決定テーブル(141)の選択は、内部抽選手段(110)による内部抽選の結果に対応して行われることから、この傾向を、遊技回数を重ねることで、経験則で会得したり、あるいは、スロットマシン10の表面などに、インストラクションとして説明表示することで、遊技者は、内部抽選の結果を有る程度知ることができる。
【００１２】
【発明の実施の形態】
図１〜５は、本発明の一実施の形態を示すものであり、図１はスロットマシンの制御の概略を示したブロック図、図２はスロットマシンの概略正面図、図３は停止受付音決定テーブルの一部の模式図、図４は停止受付音パターンに対応する受付音を示した説明図、図５はスロットマシンの動作の概略を示したフローを各々示す。
（スロットマシン）
図２中、10は、スロットマシンを示すもので、このスロットマシン10は、箱状の本体の前面に、フロントパネル20を設け、フロントパネル20の表面には、そのほぼ中央に図柄変動表示装置30を設けてある。
【００１３】
この図柄変動表示装置30は、図２に示すように、第１〜第３の３個の透明な表示窓31を横並びに設けるとともに、各表示窓31の認識可能な内部には、各々左、中央、右の３個の略円筒状の回転リール32・・の外周表面をそれぞれ臨ませて配置されている。
そして、上記各回転リール32・・には、それぞれ外周表面に複数の図柄を表示してある。具体的には、回転リール32・・の外周表面に、複数の図柄が所定間隔で印刷されたリールテープを貼り付け、回転リール32の外周表面に複数の図柄が表示されている。この図柄は、様々なものがあるが、例えばトランプの絵柄やフルーツ、特定のキャラクター等を模したもので、「Ａ（エース）」「キング」「クイーン」「ジョーカー」「７」「チェリー」「赤チェリー」「エンジェル」等の図柄から構成されている。
【００１４】
また、各回転リール32・・には、各々モータ33（例えばステッピングモータ）が回転可能に接続されており（図１）、各回転リール32・・を回転させることにより、各表示窓31内に、上下方向に複数の図柄を所定の速度で移動表示させることができる。なお、回転リール32のモータ33は、例えば７５０ｍｓｅｃごとに１回転するように形成されている。
【００１５】
上記フロントパネル20の各表示窓31には、図２に示すように、上段、中央、下段の横３列のラインと右下がり、左下がりの斜め２列のラインからなる合計５列のライン34〜38が表示されている。前記各ライン34〜38は、投入した遊技メダル数に応じて、有効化され、有効化されたライン34〜38上に並んで停止表示された停止図柄の組合せ如何により、入賞か否か、例えば通常遊技中においては、特別遊技に進行可能か否かを知ることができる。
【００１６】
前記３個の回転リール32・・の斜め右下側には、図２に示すように、遊技メダルを投入するためのメダル投入口39が配置されている。
また、前記３個の回転リール32・・の下側には、図２に示すように、回転リール32・・の各々に対応させて、各回転リール32・・を個別に停止させるための、左、中央、右の３個のストップスイッチ40・・がそれぞれ配置され、左のストップスイッチ40は、左の回転リール32の回転を停止させるため、中央のストップスイッチ40は、中央の回転リール32の回転を停止させるため、右のストップスイッチ40は、右の回転リール32の回転を停止させるために操作される。
【００１７】
上記ストップスイッチ40・・の左側には、図２に示すように、各回転リール32の回転を開始させるレバー状のスタートスイッチ50が配置されている。
また、前記ストップスイッチ40・・の下方には、音声出力手段としての一対のスピーカ60・が内蔵されている。
次に、図１を用いてスロットマシン10の制御回路について説明する。
（電子的制御装置）
スロットマシン10の制御回路は、図１に示すように、例えばＣＰＵから構成された電子的制御装置100から構成されている。
【００１８】
そして、電子的制御装置100の入力側には、図１に示すように、スタートスイッチ50と、回転している各回転リール32・・を個別に停止させる３個のストップスイッチ40・・とが各々接続されている。
また、電子的制御装置100の出力側には、図１に示すように、３個の回転リール32・・をそれぞれ個別に回転駆動させるモータ33・・と、停止受付音を外部に出力するための外部出力手段としてのスピーカ60・とが接続されている。
【００１９】
電子的制御装置100には、図１に示すように、入賞か否かの内部抽選を行う内部抽選手段110と、前記内部抽選手段110による抽選結果が特別入賞であるとともに、前記図柄変動表示装置30に停止表示された停止図柄の組み合わせが、予め定められた所定の特別入賞図柄と一致したことを条件に、遊技者に特別の遊技を行わせる特別遊技実行手段120と、スタートスイッチ50及びストップスイッチ40・・の操作に基づいて各回転リール32・・の回転を制御する駆動制御手段130と、所定の範囲の乱数を発生させる停止受付音決定用の乱数発生手段140と、前記乱数発生手段140がとる乱数値の全領域中、ストップスイッチ40の操作に対応して出力される停止受付音パターンごとに区分された複数の停止受付音パターン領域を有するとともに、各停止受付音パターン領域の割合を各々異にする複数の停止受付音決定テーブル141と、前記複数の停止受付音決定テーブル141のうち、前記内部抽選手段110の抽選結果に対応する停止受付音決定テーブル141を選択する停止受付音決定テーブル選択手段142と、前記停止受付音決定用の乱数発生手段140が発生する乱数を抽出する停止受付音決定用の乱数抽出手段143と、前記停止受付音決定用の乱数抽出手段143が抽出した乱数値を、前記停止受付音決定テーブル選択142手段が選択した停止受付音決定テーブル141と照合し、該乱数値が属する停止受付音パターン領域に対応する停止受付音パターンを決定する受付音決定手段144と、前記各ストップスイッチ40・・が操作されたことを条件に、前記受付音決定手段144によって決定された停止受付音パターンに基づいて、外部出力手段としてのスピーカ60・に音声を出力させる停止受付音出力制御手段145と、を備えている。
（内部抽選手段）
前記内部抽選手段110は、内部抽選用の乱数発生手段111と、前記内部抽選用の乱数発生手段が発生する乱数を抽出する内部抽選用の乱数抽出手段112と、内部抽選の判定に用いる内部抽選テーブル113と、前記内部抽選用の乱数抽出手段112が抽出した乱数値を、前記内部抽選テーブル113と照合し、該乱数値が属する領域に基づいて、入賞か否かの抽選を行う抽選手段114とを備えている。
【００２０】
前記内部抽選用の乱数発生手段111は、所定の領域（例えば十進数で０〜１６３８２）の乱数を発生させる。
前記内部抽選用の乱数抽出手段112は、前記内部抽選用の乱数発生手段111から発生される乱数を、所定の条件（例えばスタートスイッチの操作）で抽出する。
前記内部抽選テーブル113は、前記乱数抽出手段112が抽出する乱数値がとる全領域のうち、特別入賞領域、通常入賞領域、非入賞領域などの予め定められた所定の割合に設定された領域を備える。
【００２１】
前記抽選手段114は、前記乱数抽出手段112が抽出した乱数値を、前記内部抽選テーブル113と参照することにより、当該乱数値が属する領域を判定し、当該乱数値が属する領域に対応する賞を決定する。例えば、当該乱数値が特別入賞領域に属する場合には、特別入賞と判定し、また、非入賞領域に属する場合には、非入賞と判定する。
（特別遊技実行手段）
特別遊技実行手段120は、前記内部抽選手段110による抽選結果が特別入賞であるとともに、前記図柄変動表示装置30に停止表示された停止図柄の組み合わせが、予め定められた所定の特別入賞図柄と一致したことを条件に、遊技者に特別の遊技を行わせる。予め定められた所定の入賞図柄とは、本実施の形態では、例えば有効なライン上に、「７」、「７」、「７」と停止表示された場合をいう。
【００２２】
また、「特別の遊技」とは、通常遊技よりも遊技者に有利な条件で行うことのできる遊技を意味し、例えば通常遊技よりも入賞確率が高い状態で行うことのできる高入賞確率な遊技を所定回数行うことのできる、ビッグボーナスゲームやレギュラーボーナスゲームも含まれる。
（駆動制御手段）
駆動制御手段130は、スタートスイッチ50の操作に基づいて各回転リール32・・を駆動するモータ33・・を回転させ、各ストップスイッチ40・・の操作に基づいて、各モータの回転を停止させる。
（停止受付音決定用の乱数発生手段）
前記停止受付音決定用の乱数発生手段140は、所定の範囲（例えば十進数で０〜６５５３６まで）の乱数を発生させる。
【００２３】
なお、本実施の形態では、前記停止受付音決定用の乱数発生手段140は、前記内部抽選用の乱数発生手段111とは別個に設けたが、異なる実施の形態では、前記停止受付音決定用の乱数発生手段140を別個に設けることなく、前記内部抽選用の乱数発生手段111を、前記停止受付音決定用の乱数発生手段140に代えてもよい。
（停止受付音決定用の乱数抽出手段）
前記停止受付音決定用の乱数抽出手段143は、所定の条件が揃ったとき（本実施の形態では、スタートスイッチ50が操作されたこと）に、前記停止受付音決定用の乱数発生手段140から発生する乱数のうち、例えば一つの乱数値を抽出する。
（停止受付音決定テーブル）
前記停止受付音決定テーブル141は、図３（Ａ）（Ｂ）に示すように、前記乱数発生手段140がとる乱数値の全領域中、ストップスイッチ40・・の操作に対応して出力される停止受付音パターンごとに区分された複数の停止受付音パターン領域を有する。そして、各停止受付音パターンには、図４に示すように、第１停止音用、第２停止音用、第３停止音用となっており、ストップスイッチ40・・の操作順に出力される停止受付音が予め定められている。例えば停止受付音パターンが停止受付音パターン１に決定された場合には、受付音１、受付音２、受付音３の順序で出力される。なお、受付音は、図４に示すように、受付音１〜１１まであり、各受付音は、人の聴覚で聞き分けられる程度に、その強さ、大きさ、高さ、音色などの点において、各々相違点を有する。
【００２４】
また、各停止受付音決定テーブル141は、各停止受付音パターン領域の割合を各々異にする。
本実施の形態では、図３に示すように、特別入賞用の停止受付音決定テーブル141と特別入賞用以外の停止受付音決定テーブル141との２種類の決定テーブルを備えている。なお、本実施の形態では、停止受付音決定テーブル141は、２種類であると説明したが、停止受付音テーブルは、２種類に限られず、複数種類あればよい。
【００２５】
前記特別入賞用の停止受付音決定テーブル141は、図３（Ａ）に示すように、停止受付音パターン領域１〜５の５つの停止受付音パターン領域をを有している。同じく、特別入賞用以外の停止受付音決定テーブル141は、図３（Ｂ）に示すように、停止受付音パターン領域１〜５の５つの停止受付音パターン領域を有している。
【００２６】
そして、停止受付音パターン領域５を例に説明すると、特別入賞用の停止受付音決定テーブル141の停止受付音パターン領域５の全領域に対する割合は、図３（Ａ）に示すように、５３６／６５５３６であるのに対し、特別入賞用以外の停止受付音決定テーブル141の停止受付音パターン領域５の全領域に対する割合は、図３（Ｂ）に示すように、１／６５５３６となっており、特別入賞用の停止受付音決定テーブル141の方が５３６倍だけ停止受付音パターン領域５が広く設定されている。
（停止受付音決定テーブル選択手段）
停止受付音決定テーブル選択手段142は、前記複数の停止受付音決定テーブル141のうち、前記内部抽選手段110の抽選結果に対応して、当該抽選結果が特別入賞である場合には、特別入賞用の停止受付音決定テーブル141を選択し、当該抽選結果が特別入賞以外である場合には、特別入賞用以外の停止受付音決定テーブル141を選択する。
【００２７】
したがって、前記内部抽選手段110による抽選結果が、特別入賞である場合には、特別入賞用の停止受付音決定テーブル141が選択されるから、停止受付音パターンが停止受付音パターン５に決定される確率が、特別入賞以外である場合に比較して、５３６倍高くなる。
（受付音決定手段）
前記受付音決定手段144は、前記停止受付音決定用の乱数抽出手段143が抽出した乱数値を、前記停止受付音決定テーブル選択手段142が選択した停止受付音決定テーブル141と照合することにより、該乱数値が属する停止受付音パターン領域に対応する停止受付音パターンを決定する。例えば、前記停止受付音決定用の乱数抽出手段143が抽出した乱数値が、停止受付音パターン領域５に属する場合には、図３に示すように、受付音決定手段144は、停止受付音パターンを、停止受付音パターン領域５に対応する停止受付音パターン５に決定する。
（停止受付音出力制御手段）
前記停止受付音出力制御手段145は、前記各ストップスイッチ40・・が操作されたことを条件に、前記受付音決定手段144によって決定された停止受付音パターンに基づいて、外部出力手段としての前記一対のスピーカ60・に音声を出力させる。
【００２８】
そして、各停止受付音パターンは、図４に示すように、各ストップスイッチ40・・の操作に応じて、出力される回胴停止受付音が予め定められている。例えば、停止受付音パターン１では、最初に操作されたストップスイッチ40の操作に基づいて、回胴停止受付音１がスピーカ60・からまず出力され、次に別のストップスイッチ40が操作されると、回胴停止受付音２がスピーカ60・から出力され、更に次のストップスイッチ40が操作されると、回胴停止受付音３が出力される。なお、この停止受付音は、ストップスイッチ40・・の操作順に出力される音声が予め定められており、３個のストップスイッチ40・・のいずれを操作しても、操作される順序に従って音声が出力される。
【００２９】
このため、内部抽選手段110による抽選結果が特別入賞となった場合には、停止受付音パターン４や停止受付音パターン５が決定され易くなる。
そして、停止受付音パターン４と決定されれば、第１停止用には、受付音７が出力され、第２停止用には、受付音２が出力され、第３停止用には、受付音８が出力される。また、停止受付音パターン５と決定されれば、第１停止用には、受付音７が出力され、第２停止用には、受付音９が出力され、第３停止用には、受付音１０が出力される。
【００３０】
このように、内部抽選手段110による抽選結果が特別入賞となった場合に、それ以外の場合には出現しない停止受付音パターンが出現することから、当該スロットマシンの遊技に慣れた遊技者は、その経験則に従って、通常出現しない受付停止音パターンが出現することで、内部抽選手段による抽選結果が特別入賞となっていることに気がつき、遊技を途中で終了することなく、遊技を継続し、前記図柄変動表示装置30に停止表示された停止図柄の組み合わせが、予め定められた所定の特別入賞図柄と一致するようにストップスイッチ40・・を操作するようになる。このように、遊技者は、内部抽選手段110による抽選結果を、ストップスイッチ40・・を操作することにより出力される停止受付音の音声出力パターンの変化により知ることができることから、遊技を途中で終了してしまって、特別入賞の機会を逸するようなことがない。
【００３１】
つぎに上記構成を備えたスロットマシン10の動作について、図５に示すフローチャートを用いて簡単に説明する。
まず、ステップ１００において、スタートスイッチ50が操作された否かが判定される。この判定は、電子的制御装置において行われ、電子的制御装置においては、スタートスイッチ50のオン・オフが監視されている。
【００３２】
スタートスイッチ50がオンとされると、つぎのステップ１０１に進み、特別入賞か否かが判定される。この判定は、電子的制御装置100の内部抽選手段110によって行われ、内部抽選手段110は、内部抽選テーブル113に基づいて、抽出した乱数値が特別入賞の領域に属する乱数値か否かを判定する。
内部抽選手段110による抽選の結果、特別入賞と判定された場合には、次のステップ１０２に進む。
【００３３】
ステップ１０２においては、停止受付音決定テーブル選択手段142によって、２種類の停止受付音決定テーブル141のうち、特別入賞用の停止受付音決定テーブル141が選択される。
ステップ１０２において、特別入賞用の停止受付音決定テーブル141が選択されると、つぎのステップ１０３に進む。
【００３４】
ステップ１０３においては、選択された特別入賞用の停止受付音決定テーブル141に従って、停止受付音決定用の乱数抽出手段140から抽出された乱数値が属する停止受付音パターン領域に対応する停止受付音パターンが決定される。
前記ステップ１０３において、停止受付音パターンが決定されると、次のステップ１０４に進み、各回転リール32・・の回転が開始される。
【００３５】
前記ステップ１０４において、各回転リールの回転が開始され、各回転リールが所定の速度に達すると、つぎのステップ１０５に進む。
ステップ１０５においては、いずれかのストップスイッチ40・・が操作されたか否かが判定される。この判定は、電子的制御装置100において行われ、電子的制御装置100においては、各ストップスイッチ40・・が操作されたか否かが監視されている。
【００３６】
ステップ１０５において、いずれかのストップスイッチ40が操作されたと判定された場合には、つぎのステップ１０６に進み、先に決定された停止受付音パターンの第１停止音用の受付音がスピーカ60・から出力される。
前記ステップ１０６において、第１停止音用の受付音が出力されると、つぎのステップ１０７に進み、操作されたストップスイッチ40・・に対応する回転リール32・・のモータ33・・を停止させる。
【００３７】
前記ステップ１０７において、操作されたストップスイッチ40に対応する回転リール32が停止すると、つぎのステップ１０８に進み、先に操作されたストップスイッチ40以外のストップスイッチ40・、すなわち残りのストップスイッチ40・のいずれかが操作されたか否かが判定される。この判定は、電子的制御装置100において行われ、電子的制御装置100においては、残りのストップスイッチ40・が操作されたか否かが監視されている。
【００３８】
ステップ１０８において、残りのストプッスイッチ40・のうちのいずれかが操作されたと判定された場合には、つぎのステップ１０９に進み、先に決定された停止受付音パターンの第２停止音用の受付音がスピーカ60・から出力される。
前記ステップ１０９において、第２停止音用の受付音がスピーカ60・から出力されると、つぎのステップ１１０に進み、操作されたストップスイッチ40に対応する回転リー32ルを停止させる。
【００３９】
前記ステップ１１０において、操作されたストップスイッチ40に対応する回転リール32が停止すると、つぎのステップ１１１に進み、先に操作されたストップスイッチ40・以外のストップスイッチ、最後のストップスイッチ40が操作されたか否かが判定される。この判定は、電子的制御装置100において行われ、電子的制御装置100においては、最後のストップスイッチ40が操作されたか否かが監視されている。
【００４０】
ステップ１１１において、最後のストプッスイッチ40が操作されたと判定された場合には、つぎのステップ１１２に進み、先に決定された停止受付音パターンの第３停止音用の受付音が出力される。
前記ステップ１１２において、第２停止音用の受付音がスピーカ60・から出力されると、つぎのステップ１１３に進み、操作されたストップスイッチ40に対応する回転リール32を停止させる。
【００４１】
先に説明したステップ１０１において、特別入賞以外と判定された場合には、ステップ１１４に進み、特別入賞以外の停止受付音決定テーブル141が選択される。
【００４２】
【発明の効果】
本発明は、以上のように構成されているので、以下に記載されるような効果を奏する。
請求項１記載のスロットマシンによれば、各ストップスイッチを操作すると、出力される停止受付音がランダムに決定されるから、遊技を単調化させることがないスロットマシンを提供することができる。
【００４３】
これに加え、請求項２記載のスロットマシンによれば、出力される停止受付音パターンの出現率は、選択された停止受付音決定テーブルに割り付けられた領域の割合に依存し、停止受付音決定テーブルの選択は、内部抽選手段による内部抽選の結果に対応して行われることから、この傾向を、遊技回数を重ねることで、経験則で会得したり、あるいは、スロット表面などに、インストラクションとして説明表示することで、遊技者は、内部抽選の結果を有る程度知ることができるスロットマシンを提供することができる。
【図面の簡単な説明】
【図１】  スロットマシンの制御の概略を示したブロック図である。
【図２】  スロットマシンの概略正面図である。
【図３】  停止受付音決定テーブルの一部の模式図である。
【図４】  停止受付音パターンに対応する受付音を示した説明図である。
【図５】  スロットマシンの動作の概略を示したフローである。
【符号の説明】
10  スロットマシン            20  フロントパネル
30  図柄変動表示装置          31  表示窓
32  回転リール                33  モータ
34〜38  ライン                39  メダル投入口
40  ストップスイッチ          50  スタートスイッチ
60  スピーカ                 100  電子的制御装置
110  内部抽選手段             111  乱数発生手段
112  乱数抽出手段             113  内部抽選テーブル
114  抽選手段                 120  特別遊技実行手段
130  駆動制御手段             140  乱数発生手段
141  停止受付音決定テーブル   142  停止受付音決定テーブル選択手段
143  乱数抽出手段             144  受付音決定手段
145  停止受付音出力制御手段
【図１】
0003786393.tif 000002
【図２】
0003786393.tif 000003
【図３】
0003786393.tif 000004
【図４】
0003786393.tif 000005
【図５】
0003786393.tif 000006